(57)【要約】      （修正有）【課題】出力電圧の極性を切り替える際における切り替え不良の発生を抑制した電源を備える画像形成装置を提供する。【解決手段】画像形成装置が備えるバイアス電源は、転写バイアスを出力する転写出力部２２ａ、クリーニングバイアスを出力するクリーニング出力部２２ｂ、転写バイアスおよびクリーニングバイアスを設定する制御データを生成して発信する信号生成部２２ｃを備えている。そして、転写出力部２２ａは、自励発信方式であって、制御データを受信するＤＡコンバータ２２１ａを備え、整流して転写バイアスを出力する整流回路２２５ａを備えている。一方、クリーニング出力部２２ｂは、自励発信方式であって、制御データを受信するＤＡコンバータ２２１ｂ、整流してクリーニングバイアスを出力する整流回路２２５ｂを備えている。【選択図】図２
2013254066.tif 000002
【特許請求の範囲】
【請求項１】
像保持体と、
前記像保持体を帯電する帯電手段と、
前記像保持体を露光し、当該像保持体に静電潜像を形成する露光手段と、
前記露光手段により露光され前記像保持体に形成された静電潜像を現像する現像手段と、
前記像保持体に対向して設けられるとともに、転写バイアスおよび当該転写バイアスとは異なる極性のクリーニングバイアスとが切り替えられて設定され、当該転写バイアスに設定された際に前記現像された画像を被転写体に転写する転写手段と、
それぞれが、電圧を指定する指定値をデジタル信号にて受信してアナログ信号に変換するデジタルアナログ変換回路と、電圧を出力する整流回路と、を備え、１つが前記転写バイアスを出力し、他の１つが前記クリーニングバイアスを出力するとともに、当該転写バイアスを出力する整流回路と当該クリーニングバイアスを出力する整流回路とが直列に接続された自励発信方式の複数の電源部と、
前記転写バイアスと前記クリーニングバイアスとが切り替えて設定されるように前記指定値を時系列で生成し、前記複数の電源部のそれぞれの前記デジタルアナログ変換回路に対応する当該指定値を送信する信号生成部と、を備え、
前記信号生成部は、電圧の極性を正から負に切り替える予め定められた期間または負から正に切り替える予め定められた期間の少なくともいずれか一方において、後の供給となる当該極性の電圧と、当該極性の電圧に比べ絶対値が小さい電圧とが繰り返すように当該指定値を生成する
ことを特徴とする画像形成装置。
【請求項２】
前記信号生成部は、前記指定値で指定された電圧を出力する前記複数の電源部のそれぞれを識別する識別符号をさらに生成し、当該指定値と当該識別符号とを組にして送信するとともに、
前記識別符号を受信して解読し、当該識別符号と組となった前記指定値を、前記複数の電源部における当該識別符号に対応する電源部の前記デジタルアナログ変換回路に送信する信号解読部をさらに備えることを特徴とする請求項１に記載の画像形成装置。
【請求項３】
前記電源部は、
１次巻線、２次巻線および補助巻線を有し、当該２次巻線に前記整流回路が接続されるトランスと、
前記補助巻線と前記１次巻線に接続され自励発信を制御するスイッチ素子と、
前記スイッチ素子のスイッチングの周波数を設定する時定数設定回路と、
前記デジタルアナログ変換回路により前記指定値が変換されたアナログ信号に基づいて、前記時定数設定回路に供給する電圧を設定する制御回路と、
を備えることを特徴とする請求項１または２に記載の画像形成装置。
【請求項４】
前記電源部は、前記デジタルアナログ変換回路が前記指定値を変換したアナログ信号において、予め定められた周波数以上の電圧の変動成分を前記時定数設定回路に供給するバイパス回路をさらに備えることを特徴とする請求項３に記載の画像形成装置。
【請求項５】
前記電源部は、前記デジタルアナログ変換回路が前記指定値を変換したアナログ信号において、他の予め定められた周波数以上の電圧の変動成分を低減して、前記制御回路に供給する平滑回路をさらに備えることを特徴とする請求項４に記載の画像形成装置。
【発明の詳細な説明】
【技術分野】
【０００１】
本発明は、画像形成装置に関する。
【背景技術】
【０００２】
公報記載の従来技術として、帯電した像担持体にレーザビームを照射して静電潜像を形成する光書込み手段と、前記静電潜像を顕像化したトナー像を記録媒体に転写する転写手段と、前記転写手段に電圧を印加する電源部と、前記光書込み手段によるレーザビームの照射開始後、ビーム照射開始位置に形成された前記静電潜像の前記トナー像が前記転写手段に到達するまでの間の前記電源部の出力電圧または電流を検知する検知手段と、前記検知手段によって検知された出力電圧または電流に従って、前記電源部を制御する制御信号を生成し、前記電源部に出力する制御信号生成手段と、を備えた画像形成装置が存在する（特許文献１参照）。
【先行技術文献】
【特許文献】
【０００３】
【特許文献１】特開２００８−２２５０２９号公報
【発明の概要】
【発明が解決しようとする課題】
【０００４】
本発明の目的は、出力電圧の極性を切り替える際における切り替え不良の発生を抑制した電源を備える画像形成装置を提供することにある。
【課題を解決するための手段】
【０００５】
請求項１に記載の発明は、像保持体と、前記像保持体を帯電する帯電手段と、前記像保持体を露光し、当該像保持体に静電潜像を形成する露光手段と、前記露光手段により露光され前記像保持体に形成された静電潜像を現像する現像手段と、前記像保持体に対向して設けられるとともに、転写バイアスおよび当該転写バイアスとは異なる極性のクリーニングバイアスとが切り替えられて設定され、当該転写バイアスに設定された際に前記現像された画像を被転写体に転写する転写手段と、それぞれが、電圧を指定する指定値をデジタル信号にて受信してアナログ信号に変換するデジタルアナログ変換回路と、電圧を出力する整流回路と、を備え、１つが前記転写バイアスを出力し、他の１つが前記クリーニングバイアスを出力するとともに、当該転写バイアスを出力する整流回路と当該クリーニングバイアスを出力する整流回路とが直列に接続された自励発振方式の複数の電源部と、前記転写バイアスと前記クリーニングバイアスとが切り替えて設定されるように前記指定値を時系列で生成し、前記複数の電源部のそれぞれの前記デジタルアナログ変換回路に対応する当該指定値を送信する信号生成部と、を備え、前記信号生成部は、電圧の極性を正から負に切り替える予め定められた期間または負から正に切り替える予め定められた期間の少なくともいずれか一方において、後の供給となる当該極性の電圧と、当該極性の電圧に比べ絶対値が小さい電圧とが繰り返すように当該指定値を生成することを特徴とする画像形成装置である。
請求項２に記載の発明は、前記信号生成部は、前記指定値で指定された電圧を出力する前記複数の電源部のそれぞれを識別する識別符号をさらに生成し、当該指定値と当該識別符号とを組にして送信するとともに、前記識別符号を受信して解読し、当該識別符号と組となった前記指定値を、前記複数の電源部における当該識別符号に対応する電源部の前記デジタルアナログ変換回路に送信する信号解読部をさらに備えることを特徴とする請求項１に記載の画像形成装置である。
請求項３に記載の発明は、前記電源部は、１次巻線、２次巻線および補助巻線を有し、当該２次巻線に前記整流回路が接続されるトランスと、前記補助巻線と前記１次巻線に接続され自励発振を制御するスイッチ素子と、前記スイッチ素子のスイッチングの周波数を設定する時定数設定回路と、前記デジタルアナログ変換回路により前記指定値が変換されたアナログ信号に基づいて、前記時定数設定回路に供給する電圧を設定する制御回路と、を備えることを特徴とする請求項１または２に記載の画像形成装置である。
請求項４に記載の発明は、前記電源部は、前記デジタルアナログ変換回路が前記指定値を変換したアナログ信号において、予め定められた周波数以上の電圧の変動成分を前記時定数設定回路に供給するバイパス回路をさらに備えることを特徴とする請求項３に記載の画像形成装置である。
請求項５に記載の発明は、前記電源部は、前記デジタルアナログ変換回路が前記指定値を変換したアナログ信号において、他の予め定められた周波数以上の電圧の変動成分を低減して、前記制御回路に供給する平滑回路をさらに備えることを特徴とする請求項４に記載の画像形成装置である。
【発明の効果】
【０００６】
請求項１の発明によれば、指定値を繰り返さない場合に比較して、出力電圧の極性を切り替える際における切り替え不良の発生が抑制できる。
請求項２の発明によれば、本構成を採用しない場合に比較して、制御に用いる信号線の数が抑制できる。
請求項３の発明によれば、本構成を採用しない場合に比較して、電源部の回路規模を小型にできる。
請求項４の発明によれば、本構成を採用しない場合に比較して、出力電圧の極性を切り替える際における切り替え不良の発生がより抑制できる。
請求項５の発明によれば、本構成を採用しない場合に比較して、電源部がより安定に動作する。
【図面の簡単な説明】
【０００７】
【図１】第１の実施の形態が適用される画像形成装置の全体構成の一例を示す図である。
【図２】第１の実施の形態における転写部バイアス電源のブロック構成の一例を示す図である。
【図３】転写部バイアス電源を制御するために信号生成部が生成する制御データの一例を示す図である。
【図４】転写出力部のＤＡコンバータのＤＡ出力信号の波形およびクリーニング出力部のＤＡコンバータのＤＡ出力信号の波形の一例を示す図である。
【図５】第１の実施の形態における転写出力部およびクリーニング出力部の回路構成の一例を示す図である。
【図６】第１の実施の形態における転写部バイアス電源の出力電圧の極性の切替えの例を示すタイムチャートである。
【図７】クリーニング出力部から−電圧であるクリーニングバイアスが出力されている状態から、転写出力部から＋電圧である転写バイアスを出力する状態に切り替える場合に、ＤＡコンバータから擬似クロック信号を送信しないときの制御データおよびタイミングチャートの一例を示す図である。
【図８】第２の実施の形態における転写部バイアス電源のブロック構成の一例を示す図である。
【図９】第２の実施の形態における転写出力部およびクリーニング出力部の回路構成の一例を示す図である。
【図１０】第３の実施の形態における転写部バイアス電源のブロック構成の一例を示す図である。
【図１１】第３の実施の形態における転写出力部およびクリーニング出力部の回路構成の一例を示す図である。
【発明を実施するための形態】
【０００８】
以下、添付図面を参照して、本発明の実施の形態（本実施の形態）について詳細に説明する。
［第１の実施の形態］
＜画像形成装置１＞
図１は、第１の実施の形態が適用される画像形成装置１の全体構成の一例を示す図である。
図１に示す画像形成装置１は、画像データに対応して画像形成を行なう画像形成プロセス部１０、画像形成プロセス部１０を制御する制御部３０、例えばパーソナルコンピュータ（ＰＣ）２や画像読取装置３に接続され、これらから受信された画像データに対して予め定められた画像処理を施す画像処理部４０を備えている。
【０００９】
画像形成装置１の画像形成プロセス部１０は、矢印Ａ方向に回転可能に配設される像保持体の一例としての感光体ドラム１１、感光体ドラム１１上に形成されたトナー像を、矢印Ｂ方向に搬送される被転写体の一例としての用紙Ｐに転写する転写部２０、転写されたトナー像を画像として用紙Ｐ上に定着させる定着手段の一例としての定着部５０を備えている。
【００１０】
感光体ドラム１１の周囲には、感光体ドラム１１を帯電させる帯電手段の一例としての帯電ロール１２、感光体ドラム１１上に静電潜像を書込む露光手段の一例としてのレーザ露光器１３（図中露光ビームを符号Ｂｍで表記する）、トナーが収容されて感光体ドラム１１上の静電潜像をトナーにより可視像化する現像手段の一例としての現像器１４、感光体ドラム１１上に形成されたトナー像を用紙Ｐに転写する転写手段の一例としての転写ロール２１などの電子写真用デバイスが順次配設されている。
【００１１】
ここで、帯電ロール１２は、例えば金属製シャフト表面にエピクロルヒドリンゴム層を形成し、さらにこのエピクロルヒドリンゴム層の表面に酸化錫の導電粉を含有させたポリアミドを厚さ３μｍほどコートしたものである。
【００１２】
さらに、感光体ドラム１１は、例えば金属製の薄肉の円筒形ドラムの表面に有機感光層を形成したもので、有機感光層が負極性に帯電するように構成されている。したがって、現像器１４で使用されるトナーは負極性帯電タイプのものである。帯電ロール１２には感光体ドラム１１に帯電バイアスを印加するための帯電バイアス電源１５が、現像器１４に現像バイアスを印加するための現像バイアス電源１６が接続されている。
帯電バイアス電源１５が出力する電圧は、例えば、周波数が２ｋＨｚでピーク・ツー・ピーク値（ｐ−ｐ値）が２ｋＶの交流（ＡＣ）電圧に、−６００Ｖの直流（ＤＣ）電圧が重畳されたものである。すなわち、帯電バイアスはＤＣ電圧の−６００Ｖである。現像バイアス電源１６が出力する電圧は、例えば、周波数が８ｋＨｚでｐ−ｐ値が１ｋＶのＡＣ電圧に、−１３００ＶのＤＣ電圧が重畳されたものである。すなわち、現像バイアスはＤＣ電圧の−１３００Ｖである。
なお、感光体ドラム１１は接地されている。
【００１３】
転写部２０は、感光体ドラム１１と感光体ドラム１１に押し当てられる転写ロール２１とを備えており、これら感光体ドラム１１と転写ロール２１との間に形成される転写ニップ域に用紙Ｐを通過させることで、転写を行う。転写ロール２１は、表面にカーボンを分散したＥＰＤＭとＮＢＲとのブレンドゴムのチューブ、内部はＥＰＤＭゴムからなり、その表面抵抗率が７〜１０ｌｏｇΩ／□となるように形成され、硬度は例えば７０°（アスカＣ）に設定されている。この転写ロール２１には転写バイアスおよびクリーニングバイアスを印加するための転写部バイアス電源２２が接続されている。転写バイアスおよびクリーニングバイアスについては後述する。
なお、転写部２０の上流側には、搬送されてくる用紙Ｐを転写部２０に案内する用紙搬送ガイドなど（不図示）が取り付けられている。
【００１４】
定着部５０は、ハロゲンランプ等の加熱源を内蔵する加熱ロール５１と、この加熱ロール５１に押し当てられる加圧ロール５２とを備えており、これら加熱ロール５１と加圧ロール５２との間に形成される定着ニップ域にトナー像が転写された用紙Ｐを通過させることで、定着を行う。
【００１５】
そして、制御部３０は、上記の機構部など制御する信号の生成および送受信を行う。
【００１６】
次に、図１に示す画像形成装置１の作像プロセスについて説明する。図示外のスタートスイッチがオンされると、作像プロセスが実行される。まず、帯電ロール１２により感光体ドラム１１の表面が帯電バイアスに帯電され、次いでレーザ露光器１３により画像に対応した静電潜像が書き込まれる。次に、現像バイアスが印加された現像器１４によってこの静電潜像が現像され、トナー像が形成される。
【００１７】
なお、ここでは反転現像方式を用いている。前述したように、感光体ドラム１１の表面は、帯電ロール１２により帯電バイアス（例えば、ＤＣ電圧の−６００Ｖ）に帯電されている。レーザ露光器１３により画像が書き込まれると、感光体ドラム１１の表面の電気導電率が大きくなり、レーザ光が照射された部分の表面の電位が、例えば、ＤＣ電圧の−６００Ｖから−２００Ｖになる。一方、現像器１４は、現像バイアス（例えば、ＤＣ電圧の−４００Ｖ）が印加されている。すると、負極性帯電タイプのトナーは、感光体ドラム１１の表面の電位が−２００Ｖの部分に付着する。このようにして、トナー像が形成される。
【００１８】
そして、感光体ドラム１１上に形成されたトナー像は、転写部２０において、予め定められたタイミングにて搬送された用紙Ｐ上に、転写ロール２１に印加される転写バイアスにより感光体ドラム１１から用紙Ｐに静電転写される。なお、転写後に感光体ドラム１１上に残留したトナーはリフレッシャ（不図示）によって逆極性（本実施の形態では正極性）に帯電したトナーが除去されると共に機械的に均される。
【００１９】
その後、トナー像が転写された用紙Ｐは定着部５０へと搬送されて用紙Ｐ上のトナー像が加熱および加圧により定着される。
【００２０】
＜転写部バイアス電源２２＞
（転写部バイアス電源２２のブロック構成）
図２は、第１の実施の形態における転写部バイアス電源２２のブロック構成の一例を示す図である。なお、信号の流れを矢印で示している。
【００２１】
転写部２０は、前述したように、感光体ドラム１１に形成されたトナー像を、用紙Ｐに転写する。このとき、トナーが負極性帯電タイプであるため、転写ロール２１を正の電圧（＋電圧）である転写バイアスに設定することで、トナーは感光体ドラム１１と転写ロール２１との間に挟まれた用紙Ｐ上に静電転写される。しかし、転写を行わないときは、トナーが転写ロール２１に付着することを抑制するため、転写ロール２１を負の電圧（−電圧）であるクリーニングバイアスに設定する。
よって、転写部バイアス電源２２は、転写バイアスを出力する電源部の一例としての転写出力部２２ａ、クリーニングバイアスを出力する電源部の一例としてのクリーニング出力部２２ｂ、転写バイアスおよびクリーニングバイアスを設定する制御データを生成して発信する信号生成部２２ｃ、制御データを受信して解読し、転写出力部２２ａまたはクリーニング出力部２２ｂに発信する信号解読部２２ｄを備えている。
【００２２】
図２において、信号生成部２２ｃおよび信号解読部２２ｄは、転写部バイアス電源２２に設けられているとしている。しかし、信号生成部２２ｃおよび信号解読部２２ｄの少なくとも１つを、図１に示した制御部３０に設けてもよい。
なお、信号生成部２２ｃおよび信号解読部２２ｄの少なくとも１つが制御部３０に設けられた場合であっても、転写部バイアス電源２２は、転写出力部２２ａ、クリーニング出力部２２ｂに加え、信号生成部２２ｃ、信号解読部２２ｄを備えたものとする。
【００２３】
信号生成部２２ｃは、転写出力部２２ａおよびクリーニング出力部２２ｂのそれぞれが出力する電圧を指定する指定値を“１”／“０”のデジタル信号である制御データＳ０として時系列で送信する。このようにすることにより、アナログ電圧による信号を転写出力部２２ａおよびクリーニング出力部２２ｂに個別に送信する場合に比べ、信号線（信号の入出力（Ｉ／Ｏ）のための信号線）の数を抑制している。また、デジタル信号であることにより、ノイズの影響を受けにくい。
【００２４】
転写出力部２２ａおよびクリーニング出力部２２ｂは、スイッチ素子（後述する図５におけるｎｐｎトランジスタＴｒ１、Ｔｒ２）をスイッチングすることにより電圧を発生させるスイッチング電源であって、ともに自励発振方式である。自励発振方式のスイッチング電源は、他励発振方式のスイッチング電源に比べ、回路規模が小さくできる。
【００２５】
転写出力部２２ａは、デジタルアナログ変換回路の一例としてのＤＡコンバータ２２１ａ、ＤＡコンバータ２２１ａの出力するＤＡ出力信号Ｓ１ａを基に、転写バイアスの電圧または電流を予め定められた値に制御する制御回路２２２ａ、スイッチ素子を備え、制御回路２２２ａが出力する制御信号Ｓ２ａによりスイッチ素子を駆動する駆動回路２２３ａ、スイッチ素子によってスイッチングされたスイッチング信号Ｓ３ａを変圧するトランス（変圧器）２２４ａ、変圧された信号を整流して正の転写バイアスにする整流回路２２５ａを備えている。
【００２６】
クリーニング出力部２２ｂは、ＤＡコンバータ２２１ｂ、ＤＡコンバータ２２１ｂの出力するＤＡ出力信号Ｓ１ｂを基に、クリーニングバイアスの電圧または電流を予め定められた値に制御する制御回路２２２ｂ、スイッチ素子を備え、制御回路２２２ｂからの制御信号Ｓ２ｂによりスイッチ素子を駆動する駆動回路２２３ｂ、スイッチ素子によってスイッチングされたスイッチング信号Ｓ３ｂを変圧するトランス（変圧器）２２４ｂ、変圧された信号を整流して負のクリーニングバイアスにする整流回路２２５ｂを備えている。
【００２７】
そして、転写出力部２２ａの整流回路２２５ａとクリーニング出力部２２ｂの整流回路２２５ｂとが、直列に接続され、転写出力部２２ａからの転写バイアスと、クリーニング出力部２２ｂからクリーニングバイアスとが交互に出力され出力電圧Ｖｏｕｔとして、転写ロール２１に印加されるようになっている。
【００２８】
図２では、感光体ドラム１１は並列に接続された抵抗Ｒ１およびコンデンサＣ１により、転写ロール２１は抵抗Ｒ２により等価的に表記している。すなわち、転写出力部２２ａからの転写バイアスおよびクリーニング出力部２２ｂからのクリーニングバイアスは、転写ロール２１の抵抗Ｒ２および感光体ドラム１１の並列に接続された抵抗Ｒ１およびコンデンサＣ１を介して接地（アース）に対して電流が流れることになる。すなわち、転写ロール２１および感光体ドラム１１が、転写部バイアス電源２２の負荷となる。
図２では、転写出力部２２ａの整流回路２２５ａからの正の電圧である転写バイアスと、クリーニング出力部２２ｂの整流回路２２５ｂからの負の電圧であるクリーニングバイアスとが、直列接続された整流回路２２５ａ、２２５ｂから転写ロール２１に供給されることを示すために、トランス２２４ａ、２２４ｂおよび整流回路２２５ａ、２２５ｂを回路記号で表記している。
【００２９】
以下では、転写出力部２２ａ、クリーニング出力部２２ｂ、信号生成部２２ｃ、信号解読部２２ｄを説明する。
【００３０】
（信号生成部２２ｃ）
図３は、転写部バイアス電源２２を制御するために信号生成部２２ｃが生成する制御データＳ０の一例を示す図である。図３（ａ）は、制御データＳ０の書式（データフォーマット）を、図３（ｂ）は、クリーニング出力部２２ｂが−電圧であるクリーニングバイアスを出力する状態から、転写出力部２２ａが＋電圧である転写バイアスを出力する状態に切り替える場合における制御データＳ０を示す図、図３（ｃ）は、転写出力部２２ａが＋電圧である転写バイアスを出力する状態からクリーニング出力部２２ｂが−電圧であるクリーニングバイアスを出力する状態に切り替える場合における制御データＳ０を示す図である。図３（ｂ）、（ｃ）において、時刻は図中上から下へアルファベット順（ａ、ｂ、ｃ、…）に進むとする。
【００３１】
図３（ａ）に示すように、信号生成部２２ｃが生成する転写部バイアス電源２２を制御する制御データＳ０は、合計１６ビットで構成されている。そして、上位１２ビットが、転写バイアスおよびクリーニングバイアスを指定する指定値、下位４ビットが、転写出力部２２ａまたはクリーニング出力部２２ｂのいずれかであるか制御対象を示す識別符号である。
ここで、転写出力部２２ａを「ＴＲＮ」、クリーニング出力部２２ｂを「ＣＲＮ」と表記する。また、以下では、転写バイアスＶｔｒｎ、クリーニングバイアスＶｃｒｎと表記する。
【００３２】
まず、転写部バイアス電源２２は出力電圧Ｖｏｕｔとして、クリーニング出力部２２ｂから−電圧であるクリーニングバイアスＶｃｒｎが出力されている状態から、転写出力部２２ａから＋電圧である転写バイアスＶｔｒｎを出力する状態に切り替える場合を説明する。ここでは、設定するクリーニングバイアスＶｃｒｎに対応する指定値としてＤ１を、設定する転写バイアスＶｔｒｎに対応する指定値としてＤ３を、そして、Ｄ１とＤ３の間の電圧をＤ２と表記する。例えば、クリーニングバイアスＶｃｒｎを一例として−１３００Ｖ、設定する転写バイアスＶｔｒｎを＋１６００Ｖとし、−１３００ＶのクリーニングバイアスＶｃｒｎに対応する指定値を「Ｄ１（−５）」とし、＋１６００Ｖの転写バイアスＶｔｒｎに対応する指定値を「Ｄ３（３）」とする。そして、Ｄ２を０Ｖとし、指定値を「Ｄ２（０）」とする。そして、制御データの上位１２ビットが「Ｄ１（−５）」、下位４ビットが「ＣＲＮ」である場合、「Ｄ１（−５）  ＣＲＮ」と表記する。図３（ｂ）、（ｃ）では、Ｄ１（−５）とＣＲＮとをそれぞれ枠で囲って表記する。
【００３３】
図３（ｂ）に示すように、信号生成部２２ｃは、時刻ａにおいて「Ｄ１（−５）  ＣＲＮ」を出力し、これにより、出力電圧Ｖｏｕｔは、クリーニング出力部２２ｂからの−電圧のクリーニングバイアスＶｃｒｎ（例えば−１３００Ｖ）に設定されるとする。
【００３４】
次に、信号生成部２２ｃは、クリーニングが終了するタイミングである時刻ｂにおいて、出力電圧Ｖｏｕｔをクリーニング出力部２２ｂからの−電圧であるクリーニングバイアスＶｔｒｎから、＋電圧である転写バイアスＶｔｒｎ（例えば＋１６００Ｖ）に切り替えるとする。このため、信号生成部２２ｃは、まず時刻ｂにおいて、クリーニング出力部２２ｂからの−電圧であるクリーニングバイアスＶｃｒｎを停止するために、「Ｄ２（０）  ＣＲＮ」を出力する。
【００３５】
そして、転写出力部２２ａから＋電圧の転写バイアスＶｔｒｎ（例えば＋１６００Ｖ）を出力するため、信号生成部２２ｃは、時刻ｂに引き続く時刻ｃにおいて、「Ｄ３（３）  ＴＲＮ」を出力する。さらに、引き続いて、「Ｄ２（０）  ＴＲＮ」を出力する。その後、「Ｄ３（３）  ＴＲＮ」と「Ｄ２（０）  ＴＲＮ」とを繰り返す。すなわち、時刻ｃから時刻ｄまでの間では、「Ｄ３（３）  ＴＲＮ」と「Ｄ２（０）  ＴＲＮ」とを複数回繰り返し出力する。なお、時刻ｄにおいては、「Ｄ３（３）  ＴＲＮ」となるように設定する。
この繰返し周波数は、ＤＡコンバータ２２１ａの出力が追従できる周波数であることが好ましい。なお、「Ｄ２（０）  ＴＲＮ」において、ＤＡコンバータ２２１ａの出力が必ずしも０Ｖとなることを要しない。「Ｄ２（０）  ＴＲＮ」と「Ｄ３（３）  ＴＲＮ」とで、ＤＡコンバータ２２１ａの出力電圧に差が生じるものであればよい。
【００３６】
そして、信号生成部２２ｃは、転写が終了するタイミングである時刻ｅにおいて、転写出力部２２ａからの＋電圧である転写バイアスＶｔｒｎを停止するために、「Ｄ２（０）  ＴＲＮ」を出力する。
すなわち、時刻ａから時刻ｂがクリーニング期間であって、転写部バイアス電源２２は出力電圧Ｖｏｕｔとして−電圧であるクリーニングバイアスＶｃｒｎ（例えば−１３００Ｖ）を出力する。次に、時刻ｄから時刻ｅが転写期間であって、＋電圧である転写バイアスＶｔｒｎ（例えば＋１６００Ｖ）を出力する。
そして、時刻ｂから時刻ｄの期間が切替期間である。
【００３７】
次に、転写部バイアス電源２２は出力電圧Ｖｏｕｔとして、転写出力部２２ａから＋電圧である転写バイアスＶｔｒｎ（例えば＋１６００Ｖ）が出力されている状態から、クリーニング出力部２２ｂから−電圧であるクリーニングバイアスＶｃｒｎ（例えば−１３００Ｖ）を出力する状態に切り替える場合を説明する。
図３（ｃ）に示すように、信号生成部２２ｃは、時刻ｌにおいて「Ｄ３（３）  ＴＲＮ」を出力し、これにより、出力電圧Ｖｏｕｔは、転写出力部２２ａからの＋電圧の転写バイアスＶｔｒｎ（例えば＋１６００Ｖ）に設定されるとする。
【００３８】
次に、信号生成部２２ｃは、転写が終了するタイミングである時刻ｍにおいて、出力電圧Ｖｏｕｔを転写出力部２２ａからの＋電圧である転写バイアスＶｔｒｎから、−電圧であるクリーニングバイアスＶｃｒｎ（例えば−１３００Ｖ）に切り替えるとする。このため、信号生成部２２ｃは、まず時刻ｍにおいて、転写出力部２２ａからの＋電圧である転写バイアスＶｔｒｎを停止するために、「Ｄ２（０）  ＴＲＮ」を出力する。
【００３９】
そして、クリーニング出力部２２ｂから−電圧のクリーニングバイアスＶｃｒｎ（例えば−１３００Ｖ）を出力するため、信号生成部２２ｃは、時刻ｍに引き続く時刻ｎにおいて、「Ｄ１（−５）  ＣＲＮ」を出力する。さらに、引き続いて、「Ｄ２（０）  ＣＲＮ」を出力する。その後、「Ｄ１（−５）  ＣＲＮ」と「Ｄ２（０）  ＣＲＮ」とを繰り返す。すなわち、時刻ｎから時刻ｏまでの間では、「Ｄ１（−５）  ＣＲＮ」と「Ｄ２（０）  ＣＲＮ」とを複数回繰り返し出力する。なお、時刻ｏにおいては、「Ｄ１（−５）  ＣＲＮ」となるように設定する。
この繰返し周波数は、ＤＡコンバータ２２１ｂの出力が追従できる周波数であることが好ましい。なお、「Ｄ２（０）  ＣＲＮ」において、ＤＡコンバータ２２１ｂの出力が必ずしも０Ｖとなることを要しない。「Ｄ２（０）  ＣＲＮ」と「Ｄ１（−５）  ＣＲＮ」とで、ＤＡコンバータ２２１ｂの出力電圧に差が生じるものであればよい。
【００４０】
そして、信号生成部２２ｃは、クリーニングが終了するタイミングである時刻ｐにおいて、クリーニング出力部２２ｂからの−電圧であるクリーニングバイアスＶｃｒｎを停止するために、「Ｄ２（０）  ＣＲＮ」を出力する。
すなわち、時刻ｌから時刻ｍが転写期間であって、転写部バイアス電源２２は出力電圧Ｖｏｕｔとして＋電圧である転写バイアスＶｔｒｎ（例えば＋１６００Ｖ）を出力する。次に、時刻ｏから時刻ｐがクリーニング期間であって、−電圧であるクリーニングバイアスＶｃｒｎ（例えば−１３００Ｖ）を出力する。
そして、時刻ｍから時刻ｏの期間が切替期間である。
【００４１】
図４は、転写出力部２２ａのＤＡコンバータ２２１ａのＤＡ出力信号Ｓ１ａの波形およびクリーニング出力部２２ｂのＤＡコンバータ２２１ｂのＤＡ出力信号Ｓ１ｂの波形の一例を示す図である。図４（ａ）は、クリーニング出力部２２ｂから−電圧であるクリーニングバイアスＶｃｒｎ（例えば−１３００Ｖ）が出力されている状態から、転写出力部２２ａから＋電圧である転写バイアスＶｔｒｎ（例えば＋１６００Ｖ）を出力する状態に切り替える場合、図４（ｂ）は、転写出力部２２ａから＋電圧である転写バイアスＶｔｒｎ（＋１６００Ｖ）が出力されている状態から、クリーニング出力部２２ｂから−電圧であるクリーニングバイアスＶｃｒｎ（−１３００Ｖ）を出力する状態に切り替える場合である。
図４（ａ）、（ｂ）において、図３（ｂ）、図３（ｃ）と同様に、ここでも、指定値Ｄ１、Ｄ２、Ｄ３に対応するＤＡコンバータ２２１ａのＤＡ出力信号Ｓ１ａおよびＤＡコンバータ２２１ａのＤＡ出力信号Ｓ１ａをＶＤ１、ＶＤ２、ＶＤ３として表記する。なお、図３（ｂ）、図３（ｃ）と同様に、例とした指定値を（  ）に示した。
なお、図４（ａ）、（ｂ）において、ＤＡコンバータ２２１ｂのＤＡ出力信号Ｓ１ｂは、図において下側に大きくなるように表記しているが、ＤＡ出力信号Ｓ１ｂは＋の電圧である。
【００４２】
まず、転写部バイアス電源２２の出力電圧Ｖｏｕｔとして、クリーニング出力部２２ｂから−電圧であるクリーニングバイアス（例えば−１３００Ｖ）が出力されている状態から、転写出力部２２ａから＋電圧である転写バイアス（例えば＋１６００Ｖ）を出力する状態に切り替える場合を説明する。
図４（ａ）に示すように、時刻ａにおいて、信号生成部２２ｃが送信する制御データＳ０が「−５  ＣＲＮ」であると、後述するように、信号解読部２２ｄは、制御対象が「ＣＲＮ」であることから、「Ｄ１（−５）」をＤＡコンバータ２２１ｂに送信する。ＤＡコンバータ２２１ｂは「Ｄ１（−５）」を受信すると、「Ｄ１（−５）」に対応するＤＣ電圧であるＶＤ１（−５）を出力する。なお、ＤＡコンバータ２２１ｂは、次の制御データＳ０を受信するまで、ＶＤ１（−５）を出力し続ける。
そして、時刻ｂにおいて、信号生成部２２ｃが送信するデジタル信号である制御データＳ０が「Ｄ２（０）  ＣＲＮ」であると、上記と同様にして、ＤＡコンバータ２２１ｂは「０」に対応するＤＣ電圧であるＶＤ２（０）を出力する。
【００４３】
次に、時刻ｃにおいて、信号生成部２２ｃが送信する制御データＳ０が「Ｄ３（３）  ＴＲＮ」になると、信号解読部２２ｄは、制御対象が「ＴＲＮ」であることから、「Ｄ３（３）」をＤＡコンバータ２２１ａに送信する。ＤＡコンバータ２２１ａは「Ｄ３（３）」を受信すると、「Ｄ３（３）」に対応するＤＣ電圧であるＶＤ３（３）を出力する。
しかし、時刻ｃから時刻ｄまでの期間では、制御データＳ０が、「Ｄ３（３）  ＴＲＮ」と「Ｄ２（０）  ＴＲＮ」とを複数回繰り返す。このため、図４（ａ）に示すように、時刻ｃから時刻ｄまでの切替期間においては、ＤＡコンバータ２２１ａの出力は、ＶＤ３（３）とＶＤ２（０）とを複数回繰り返すことになる。
そして、時刻ｄにおいて、信号生成部２２ｃが送信する制御データＳ０が「Ｄ３（３）  ＴＲＮ」であるので、ＤＡコンバータ２２１ａは「Ｄ３（３）」に対応するＶＤ３（３）を出力する。
この後、時刻ｅにおいて、信号生成部２２ｃが送信する制御データＳ０が「Ｄ２（０）  ＴＲＮ」となると、ＤＡコンバータ２２１ａは「Ｄ２（０）」に対応するＶＤ２（０）を出力する。
【００４４】
以上説明したように、ＤＡコンバータ２２１ａのＤＡ出力信号Ｓ１ａは、時刻ｂから時刻ｄの切替期間において、ＶＤ３（３）とＶＤ２（０）との間を交互に移行するクロック状の信号、すなわち擬似クロック信号となる。以下、このように予め定められた期間において、制御データＳ０により、ＤＡコンバータ２２１ａのＤＡ出力信号Ｓ１ａがクロック状に電圧が変化する場合における信号を擬似クロック信号と表記する。ＤＡコンバータ２２１ｂのＤＡ出力信号Ｓ１ｂも同様とする。
【００４５】
また、転写部バイアス電源２２の出力電圧Ｖｏｕｔとして、転写出力部２２ａから＋電圧である転写バイアスＶｔｒｎ（例えば＋１６００Ｖ）が出力されている状態から、クリーニング出力部２２ｂから−電圧であるクリーニングバイアスＶｃｒｎ（例えば−１３００Ｖ）を出力する状態に切り替える場合についても同様であるので、詳細な説明を省略する。
図４（ｂ）に示すように、ＤＡコンバータ２２１ｂのＤＡ出力信号Ｓ１ｂは、時刻ｍから時刻ｏの切替期間において、「Ｄ１（−５）」に対応するＶＤ１（−５）と「Ｄ２（０）」に対応するＶＤ２（０）との間を交互に移行するクロック状の信号、すなわち擬似クロック信号となる。
【００４６】
なお、擬似クロック信号のピーク値（絶対値において最も大きい値）は、転写バイアスＶｔｒｎまたはクリーニングバイアスＶｃｒｎとしなくともよく、−電圧であるクリーニングバイアスＶｃｒｎから＋電圧である転写バイアスＶｔｒｎに切り替える場合は＋側の電圧、＋電圧である転写バイアスＶｔｒｎから−電圧であるクリーニングバイアスＶｃｒｎに切り替える場合は−側の電圧であればよい。
また、擬似クロック信号の最小値（絶対値において最も小さい値）は０Ｖとしなくともよく、＋側の電圧または−側の電圧に対して絶対値が小さい電圧とすればよい。
【００４７】
（信号解読部２２ｄ）
信号解読部２２ｄは、信号生成部２２ｃが生成する制御データＳ０を解読し、下位４ビット（「ＣＲＮ」または「ＴＲＮ」）を解読し、制御対象が転写出力部２２ａまたはクリーニング出力部２２ｂのいずれであるか識別する。
そして、判別した制御対象に、上位１２ビットの指定値を送信する。
【００４８】
（転写出力部２２ａおよびクリーニング出力部２２ｂの回路構成）
図５は、第１の実施の形態における転写出力部２２ａおよびクリーニング出力部２２ｂの回路構成の一例を示す図である。なお、クリーニング出力部２２ｂは、出力する電圧の極性が異なるが、転写出力部２２ａと同様な構成を備えている。よって、転写出力部２２ａを説明して、クリーニング出力部２２ｂの説明を省略する。
また、図５は、各回路を模式的に示したものであって、各回路の構成はこの構成に限定されない。
【００４９】
（ＤＡコンバータ２２１ａ）
ＤＡコンバータ２２１ａは、転写出力部２２ａが出力する転写バイアスを指定する指定値を信号解読部２２ｄから受信し、アナログのＤＣ電圧に変換する。
前述したように、指定値は例えば１２ビットである。よって、ＤＡコンバータ２２１ａは、例えば１２ビットのデジタル信号である制御データＳ０を、アナログ信号に変換できるものであればよい。例えば、デジタル信号をアナログ信号に変換する速度が１５０μｓであると、ＤＡ出力信号Ｓ１ａとして約３ｋＨｚの繰返し周波数の擬似クロック信号（図４（ａ）の時刻ｂから時刻ｄまでの期間または図４（ｂ）の時刻ｍから時刻ｏまでの期間の信号）が出力できる。
【００５０】
（制御回路２２２ａ）
制御回路２２２ａは、差動増幅器Ａｍｐ１、抵抗Ｒ３、Ｒ４、コンデンサＣ２を備えている。ここで、差動増幅器Ａｍｐ１は、転写出力部２２ａから転写ロール２１に流れる電流を予め定められた値に制御する。一方、電流検知回路２３０は、転写部バイアス電源２２から転写ロール２１を介して感光体ドラム１１に流れる電流を検知する。
【００５１】
差動増幅器Ａｍｐ１の非反転入力端子（以下では＋入力端子と表記する。図では＋で表記する。）は、ＤＡコンバータ２２１ａの出力端子に接続されている。反転入力端子（以下では−入力端子と表記する。図では−で表記する。）は、抵抗Ｒ４を介して、電流検知回路２３０に接続されている。
差動増幅器Ａｍｐ１の出力端子は、直列接続されたコンデンサＣ２および抵抗Ｒ３を介して、差動増幅器Ａｍｐ１の−入力端子に接続されている。
【００５２】
（駆動回路２２３ａ）
駆動回路２２３ａは、スイッチ素子の一例としてのｎｐｎトランジスタＴｒ１、抵抗Ｒ８、Ｒ９、コンデンサＣ４を備えている。
抵抗Ｒ８の一方の端子は、制御回路２２２ａの差動増幅器Ａｍｐ１の出力端子に接続されている。他方の端子は、コンデンサＣ４の一方の端子に接続されている。コンデンサＣ４の他方の端子は接地されている。また、コンデンサＣ４の一方の端子は、抵抗Ｒ９の一方の端子に接続されている。そして、抵抗Ｒ９の他方の端子はトランス２２４ａに接続されている。
ｎｐｎトランジスタＴｒ１のコレクタ端子およびベース端子は、トランス２２４ａに接続されている。ｎｐｎトランジスタＴｒ１のエミッタ端子は接地されている。
【００５３】
（トランス２２４ａ）
トランス２２４ａは、１次巻線Ｔ１１ａ、１次側補助巻線Ｔ１２ａ、２次巻線Ｔ２ａを備えている。
トランス２２４ａの１次巻線Ｔ１１ａの一方の端子は、駆動回路２２３ａのｎｐｎトランジスタＴｒ１のコレクタ端子に接続されている。他方の端子には電源電位Ｖｃｃ（例えば２４Ｖ）が印加されている。１次側補助巻線Ｔ１２ａの一方の端子は、ｎｐｎトランジスタＴｒ１のベース端子に接続されている。１次側補助巻線Ｔ１２ａの他方の端子は、駆動回路２２３ａの抵抗Ｒ９の他方の端子に接続されている。
トランス２２４ａの２次巻線Ｔ２ａは、整流回路２２５ａに接続されている。
【００５４】
（整流回路２２５ａ）
整流回路２２５ａは、ダイオードＤ１、抵抗Ｒ１０、Ｒ１１、コンデンサＣ５を備えている。ダイオードＤ１のアノード端子はトランス２２４ａの２次巻線Ｔ２ａの一方の端子に接続されている。ダイオードＤ１のカソード端子はコンデンサＣ５の一方の端子および抵抗Ｒ１０の一方の端子に接続されている。抵抗Ｒ１０の他方の端子は転写ロール２１に接続されている。また、抵抗Ｒ１０の他方の端子は、抵抗Ｒ１１の一方の端子に接続されている。抵抗Ｒ１１の他方の端子はコンデンサＣ５の他方の端子および２次巻線Ｔ２ａの他方の端子に接続されている。
【００５５】
さらに、抵抗Ｒ１１の他方の端子は、クリーニング出力部２２ｂの整流回路２２５ｂに接続されている。
なお、整流回路２２５ａは、いわゆる半波整流であるが、全波整流としてもよい。
【００５６】
次に、クリーニング出力部２２ｂの、駆動回路２２３ｂ、トランス２２４ｂおよび整流回路２２５ｂについて説明する。クリーニング出力部２２ｂのＤＡコンバータ２２１ｂ、制御回路２２２ｂは、それぞれ転写出力部２２ａのＤＡコンバータ２２１ａ、制御回路２２２ａと同様であるので、説明を省略する。
【００５７】
（駆動回路２２３ｂ）
駆動回路２２３ｂは、スイッチ素子の一例としてのｎｐｎトランジスタＴｒ２、抵抗Ｒ１８、Ｒ１９、コンデンサＣ１４を備えている。
抵抗Ｒ１８の一方の端子は、制御回路２２２ｂの出力端子（クリーニング出力部２２ｂの制御回路２２２ｂの差動増幅器Ａｍｐ１の出力端子と同様の出力端子）に接続されている。他方の端子は、コンデンサＣ１４の一方の端子に接続されている。コンデンサＣ１４の他方の端子は接地されている。また、コンデンサＣ１４の一方の端子は、抵抗Ｒ１９の一方の端子に接続されている。そして、抵抗Ｒ１９の他方の端子はトランス２２４ｂに接続されている。
ｎｐｎトランジスタＴｒ２のコレクタ端子およびベース端子は、トランス２２４ｂに接続されている。ｎｐｎトランジスタＴｒ２のエミッタ端子は接地されている。
ここで、コンデンサＣ１４と抵抗Ｒ１８が時定数設定回路の一例である。
【００５８】
（トランス２２４ｂ）
トランス２２４ｂは、１次巻線Ｔ１１ｂ、１次側補助巻線Ｔ１２ｂ、２次巻線Ｔ２ｂを備えている。
トランス２２４ｂの１次巻線Ｔ１１ｂの一方の端子は、駆動回路２２３ｂのｎｐｎトランジスタＴｒ２のコレクタ端子に接続されている。他方の端子には電源電位Ｖｃｃ（例えば２４Ｖ）が印加されている。１次側補助巻線Ｔ１２ｂの一方の端子は、ｎｐｎトランジスタＴｒ２のベース端子に接続されている。１次側補助巻線Ｔ１２ｂの他方の端子は、駆動回路２２３ｂの抵抗Ｒ１９の他方の端子に接続されている。
トランス２２４ｂの２次巻線Ｔ２ｂは、整流回路２２５ｂに接続されている。
【００５９】
（整流回路２２５ｂ）
整流回路２２５ｂは、ダイオードＤ２、抵抗Ｒ２０、Ｒ２１、コンデンサＣ１０を備えている。ダイオードＤ２のカソード端子はトランス２２４ｂの２次巻線Ｔ２ｂの一方の端子に接続されている。ダイオードＤ２のアノード端子はコンデンサＣ１０の一方の端子および抵抗Ｒ２０の一方の端子に接続されている。抵抗Ｒ２０の他方の端子は、抵抗Ｒ２１の一方の端子に接続されている。抵抗Ｒ２１の他方の端子はコンデンサＣ１０の他方の端子およびトランス２２４ｂの２次巻線Ｔ２ｂの他方の端子に接続されている。
【００６０】
そして、ダイオードＤ２のアノード端子は、転写出力部２２ａの整流回路２２５ａのコンデンサＣ５の他方の端子に接続されている。
一方、コンデンサＣ１０の他方の端子は、電流検知回路２３０を介して接地（アース）されている。
【００６１】
＜転写部バイアス電源２２の動作＞
次に、図３、図４、図５を参照して、転写部バイアス電源２２（転写出力部２２ａおよびクリーニング出力部２２ｂ）の動作を説明する。
【００６２】
まず、転写出力部２２ａの基本的な発振動作について説明する。
制御回路２２２ａから、＋電圧である制御信号Ｓ２ａが駆動回路２２３ａに入力すると、コンデンサＣ４が充電され、一方の端子（抵抗Ｒ８および抵抗Ｒ９に接続された端子）の電圧が＋側に上昇する。この電圧は１次側補助巻線Ｔ１２ａを介して、ｎｐｎトランジスタＴｒ１のベース端子の電圧を＋側に上昇させる。そして、ｎｐｎトランジスタＴｒ１のベース端子の電圧がＳｉのビルトインポテンシャル（０．６Ｖ）を超えると、ｎｐｎトランジスタＴｒ１がオンになって、コレクタ端子とエミッタ端子間に電流が流れる。
【００６３】
すると、トランス２２４ａの１次巻線Ｔ１１ａに電流が流れることで、１次側補助巻線Ｔ１２ａにベース端子の電圧を上昇させる電圧が発生する。これにより、コレクタ電流が時間とともに増加していく。
なお、２次巻線Ｔ２ａにも電圧が発生するが、ダイオードＤ１の向きが電圧の向きと逆向きであるため、２次巻線Ｔ２ａには電流が流れない。
【００６４】
ｎｐｎトランジスタＴｒ１は増幅率が有限であるため、コレクタ電流はある値以上に達するとそれ以上には大きくなれず、１次巻線Ｔ１１ａのコアの磁束の変化が止まる。すると、１次巻線Ｔ１１ａには、今まで流れていた方向と同じ方向に電流を流そうとする力が働き、これまでと逆向きの電圧が発生する。これによって、２次巻線Ｔ２ａにダイオードＤ１の向きと同じ向きの電圧が発生し、２次巻線Ｔ２ａに電流が流れる。
【００６５】
すると、１次巻線Ｔ１１ａに発生した逆向きの電圧により、１次側補助巻線Ｔ１２ａにも逆向きの電圧が発生し、ｎｐｎトランジスタＴｒ１のベース端子−エミッタ端子間を逆バイアスにする。これにより、ｎｐｎトランジスタＴｒ１がオフになる。
ダイオードＤ１に流れる電流が０になると、１次巻線Ｔ１１ａ、１次側補助巻線Ｔ１２ａ、２次巻線Ｔ２ａに発生していた電圧が０Ｖになる。これにより、ｎｐｎトランジスタＴｒ１のベース端子−エミッタ端子間がコンデンサＣ４に蓄積された電荷によって、再び＋側に上昇する。これにより、ｎｐｎトランジスタＴｒ１が再びオンになる。
このように、ｎｐｎトランジスタＴｒ１をオン、オフさせることで、オフの期間に２次巻線Ｔ２ａに流れる電流が転写バイアスＶｔｒｎとして出力される。
【００６６】
ここで、電流検知回路２３０は、転写ロール２１に流れる電流に比例する電圧を得る。そして、差動増幅器Ａｍｐ１は、−入力端子に電流に比例した電圧を受信し、ＤＡコンバータ２２１ａからのＤＡ出力信号Ｓ１ａとの差を増幅し、転写ロール２１を介して感光体ドラム１１に流れる電流がＤＡ出力信号Ｓ１ａにて設定される値より大きい場合は、転写バイアスＶｔｒｎが小さくなるように、制御信号Ｓ２ａの値を小さくする。一方、転写ロール２１を介して感光体ドラム１１に流れる電流がＤＡ出力信号Ｓ１ａで設定される値より小さい場合は、転写バイアスＶｔｒｎが大きくなるように、制御信号Ｓ２ａの値を大きくする。
このようにして、転写ロール２１を介して感光体ドラム１１に流れる電流を予め定められた値に設定するように制御する。この制御方法は、転写バイアスによって流される電流を予め定められた値になるように制御する電流制御である。
【００６７】
なお、転写バイアス（電圧）が予め定められた値になるように制御（電圧制御）するように構成してもよい。
さらに、転写出力部２２ａおよびクリーニング出力部２２ｂにおいて、いずれか一方を電流制御、いずれか他方を電圧制御としてもよい。
また、電流検知回路２３０に加えて、転写バイアスＶｔｒｎを検知する過電圧検知回路を設けて、転写バイアスＶｔｒｎが予め定められた値を超えて大きくなったときに、転写バイアスＶｔｒｎが小さくなるように、制御信号Ｓ２ａの値を小さくするように制御してもよい。クリーニングバイアスＶｃｒｎについて同様な過電圧検知回路を設けてもよい。
【００６８】
さて、第１の実施の形態では、図３（ｂ）、図４（ａ）に示したように、クリーニング出力部２２ｂから−電圧であるクリーニングバイアスＶｃｒｎ（例えば−１３００Ｖ）が出力されている状態から、転写出力部２２ａから＋電圧である転写バイアスＶｔｒｎ（例えば＋１６００Ｖ）を出力する状態に切り替える切替期間において、ＤＡコンバータ２２１ａは、擬似クロック信号を生成している（図３（ｂ）、図４（ａ）の時刻ｂから時刻ｄの切替期間）。
以下では、擬似クロック信号について説明する。
【００６９】
クリーニング出力部２２ｂから−電圧であるクリーニングバイアスＶｃｒｎ（例えば−１３００Ｖ）が出力されている状態から、転写出力部２２ａから＋電圧である転写バイアスＶｔｒｎ（例えば＋１６００Ｖ）を出力する状態に切り替える直前において、転写部バイアス電源２２は出力電圧Ｖｏｕｔとして、−電圧のクリーニングバイアスＶｃｒｎ（例えば−１３００Ｖ）を出力していた。
これにより、感光体ドラム１１の表面は−電圧に帯電している。このため、図５から分かるように、接地（アース）から、クリーニング出力部２２ｂにおける整流回路２２５ｂの抵抗Ｒ２１、転写出力部２２ａのトランス２２４ａの２次巻線Ｔ２ａ、ダイオードＤ１を順に経由して、転写ロール２１（感光体ドラム１１）に電流が流れる。すなわち、トランス２２４ａの２次巻線Ｔ２ａに電流が流れる。
ダイオードＤ１が導通状態になりトランス２２４ａの２次巻線Ｔ２ａにバイアス電圧があると、前述した駆動回路２２３ａが動作しにくくなる。
【００７０】
そこで、第１の実施の形態では、図３（ｂ）、図４（ａ）に示した時刻ｂから時刻ｄの切替期間において、ＤＡコンバータ２２１ａからのＤＡ出力信号Ｓ１ａに擬似クロック信号を設けている。この擬似クロック信号は、制御回路２２２ａにおいて増幅されて、制御信号Ｓ２ａとなって、駆動回路２２３ａからコンデンサＣ４の一方の端子（抵抗Ｒ８および抵抗Ｒ９に接続されている端子）に印加される。これにより、コンデンサＣ４に蓄積された電荷が放電され、トランス２２４ａの２次巻線Ｔ２ａが励磁されやすくなり、正常な動作状態へと移行する。
【００７１】
なお、第１の実施の形態では、図３（ｃ）、図４（ｂ）に示したように、転写出力部２２ａから＋電圧である転写バイアスＶｔｒｎが出力されている状態から、クリーニング出力部２２ｂから−電圧であるクリーニングバイアスＶｃｒｎを出力する状態に切り替える場合においても、ＤＡコンバータ２２１ｂは、擬似クロック信号を生成している（図３（ｃ）、図４（ｂ）の時刻ｍから時刻ｏの切替期間）。
【００７２】
図６は、第１の実施の形態における転写部バイアス電源２２の出力電圧Ｖｏｕｔの極性の切替えの例を示すタイムチャートである。図６（ａ）は、クリーニング出力部２２ｂから−電圧であるクリーニングバイアスＶｃｒｎが出力されている状態から、転写出力部２２ａから＋電圧である転写バイアスＶｔｒｎを出力する状態に切り替える場合、図６（ｂ）は、転写出力部２２ａから＋電圧である転写バイアスＶｔｒｎが出力されている状態から、クリーニング出力部２２ｂから−電圧であるクリーニングバイアスＶｃｒｎを出力する状態に切り替える場合である。
【００７３】
図６（ａ）に示すように、クリーニング出力部２２ｂから−電圧であるクリーニングバイアスＶｃｒｎが出力されている状態から、転写出力部２２ａから＋電圧である転写バイアスＶｔｒｎを出力する状態に切り替える場合、出力電圧Ｖｏｕｔは、時刻ｄにおいて、転写バイアスＶｔｒｎに立ち上がる。
図６（ｂ）に示すように、転写出力部２２ａから＋電圧である転写バイアスＶｔｒｎが出力されている状態から、クリーニング出力部２２ｂから−電圧であるクリーニングバイアスＶｃｒｎを出力する状態に切り替える場合においても、出力電圧Ｖｏｕｔは、時刻ｏにおいて、クリーニングバイアスＶｃｒｎに立ち上がる。
【００７４】
図７は、クリーニング出力部２２ｂから−電圧であるクリーニングバイアスＶｃｒｎが出力されている状態から、転写出力部２２ａから＋電圧である転写バイアスＶｔｒｎを出力する状態に切り替える場合において、ＤＡコンバータ２２１ａから擬似クロック信号を送信しないときの制御データＳ０およびタイミングチャートの一例を示す図である。図７（ａ）は制御データＳ０を、図７（ｂ）はタイミングチャートを示している。
なお、図７（ｂ）の横軸（時間軸ｔ）は、図４、図６と同様であるが、時刻ｄと時刻ｅとの間に時刻αと時刻βを設けている。
【００７５】
図７（ａ）に示すように、ＤＡコンバータ２２１ａから擬似クロック信号を生成しない場合は、信号生成部２２ｃは、時刻ｃで「Ｄ３（３）  ＴＲＮ」を生成して発信した後、図３（ｂ）における「Ｄ３（３）  ＴＲＮ」と「Ｄ２（０）  ＴＲＮ」との複数回の繰返しを行わない。
このため、前述したように、接地（アース）から−に帯電した感光体ドラム１１に向かって流れる電流によって、時刻ｃにおいて「Ｄ３（３）  ＴＲＮ」としても、ｎｐｎトランジスタＴｒ１はオンに移行せず、発振動作が起動されないままとなってしまう。
また、時刻ｃから遅延期間Ｔｄだけ遅れた時刻αにおいて、ｎｐｎトランジスタＴｒ１がオンしたとしても、電流検知回路２３０は接地（アース）から−に帯電した感光体ドラム１１に向かって流れる負の電流を検知しているので、制御回路２２２ａからの制御信号Ｓ２ａは転写バイアスＶｔｒｎを大きくする方向に設定されて、図７（ｂ）の時刻βにおけるようなオーバシュートを発生しやすい。
ここでは、発振動作が起動しない場合、起動が遅延する場合、オーバシュートを生じる場合など、予め定められた状態で発振動作が起動されない場合を、切り替え不良、起動性能が悪いまたは起動不良（切り替え不良）と表記する。
転写部２０において、このような起動不良（切り替え不良）が発生すると、画像形成において形成される画像が劣化してしまう。
【００７６】
一方、転写出力部２２ａから＋電圧である転写バイアスＶｔｒｎが出力されている状態から、クリーニング出力部２２ｂから−電圧であるクリーニングバイアスＶｃｒｎを出力する状態に切り替える場合には、図５から分かるように、正に帯電した感光体ドラム１１から、転写出力部２２ａにおける整流回路２２５ａの抵抗Ｒ１１、クリーニング出力部２２ｂにおける整流回路２２５ａのダイオードＤ２、トランス２２４ｂの２次巻線Ｔ２ｂ、電流検知回路２３０を介して接地（アース）に電流が流れる。よって、ｎｐｎトランジスタＴｒ２がオンになることは阻害されない。
しかし、ｎｐｎトランジスタＴｒ２のゲート端子には、コンデンサＣ１４に蓄積された電荷による電圧と、１次側補助巻線Ｔ１２ｂに発生する電圧とが重畳されて印加される。このため、ｎｐｎトランジスタＴｒ２は急激にオンになって、上述したと同様にオーバシュートを発生しやすい。よって、切替期間に擬似クロック信号を設け、ｎｐｎトランジスタＴｒ２をオンにする方向に発生する電圧を消費させることが好ましい。なお、このオーバシュートが、画像形成におけるノイズなどをもたらさない場合には、擬似クロック信号を設けることを要しない。
【００７７】
なお、図３（ｂ）、図４（ａ）に示した時刻ｂから時刻ｄまでの切替期間および図３（ｂ）、図４（ａ）に示した時刻ｍから時刻ｏまでの切替期間における擬似クロック信号の繰返し周波数は、自励発振の周波数でなくともよい。第１の実施の形態では、自励発振の周波数は一例として２５ｋＨｚとした。これに対し、ＤＡコンバータ２２１ａが生成する擬似クロック信号の繰返し周波数は一例として３ｋＨｚとした。
擬似クロック信号は、出力電圧Ｖｏｕｔの極性を切り替える際に、切替前に感光体ドラム１１の帯電によって２次巻線Ｔ２ａまたは２次巻線Ｔ２ｂに発生したバイアス電圧を低減（無効化）して、起動不良が抑制できればよく、自励発振の周波数と別に設定してよい。
【００７８】
さらに、擬似クロック信号を発生する切替期間も、２次巻線Ｔ２ａに発生するバイアス電圧が低減できる期間に設定すればよい。擬似クロック信号を発生する切替期間は、例えば、擬似クロック信号の繰返し周波数を３ｋＨｚとした場合、繰返しが１０回前後となるように、４〜６ｍｓに設定すればよい。この切替期間では、転写出力部２２ａから転写バイアスＶｔｒｎが出力されず、転写バイアスＶｔｒｎの出力までに切替期間が生じるが、２次巻線Ｔ２ａに発生するバイアス電圧を無効化させることができる。よって、その後に転写出力部２２ａから予め定められた転写バイアスＶｔｒｎを得ることができる。よって、起動不良の発生が抑制できる。
【００７９】
［第２の実施の形態］
（転写部バイアス電源２２のブロック構成）
図８は、第２の実施の形態における転写部バイアス電源２２のブロック構成の一例を示す図である。なお、信号の流れを矢印で示している。第２の実施の形態では、転写部バイアス電源２２は、転写出力部２２ａにバイパス回路２２６ａおよびクリーニング出力部２２ｂにバイパス回路２２６ｂを備えている。なお、画像形成装置１など他の構成は同じであるので、説明を省略する。
バイパス回路２２６ａは、ＤＡコンバータ２２１ａのＤＡ出力信号Ｓ１ａを受信し、後述するようにその交流成分を駆動回路２２３ａに供給する。すなわち、ＤＡコンバータ２２１ａの出力が、制御回路２２２ａをバイパスして、駆動回路２２３ａが受信するようになっている。
クリーニング出力部２２ｂについても同様であるので、説明を省略する。
【００８０】
（転写出力部２２ａおよびクリーニング出力部２２ｂの回路構成）
図９は、第２の実施の形態における転写出力部２２ａおよびクリーニング出力部２２ｂの回路構成の一例を示す図である。第１の実施の形態における図５に、バイパス回路２２６ａが付加されている。
バイパス回路２２６ａは、抵抗Ｒ１２およびコンデンサＣ６を備えている。抵抗Ｒ１２の一方の端子は、ＤＡコンバータ２２１ａに接続され、抵抗Ｒ１２の他方の端子はコンデンサＣ６の一方の端子に接続されている。そして、コンデンサＣ６の他方の端子は、駆動回路２２３ａの抵抗Ｒ８と抵抗Ｒ９との接続点に接続されている。すなわち、抵抗Ｒ１２とコンデンサＣ６とは直列に接続されている。
よって、バイパス回路２２６ａは、ＤＡコンバータ２２１ａの出力するＤＡ出力信号Ｓ１ａにおける、抵抗Ｒ１２とコンデンサＣ６とで設定される周波数以上の変動（交流）成分を通過し、駆動回路２２３ａに送信する。なお、以下では、抵抗Ｒ１２とコンデンサＣ６とで設定される周波数以上の変動（交流）成分を交流成分と表記する。
他の構成は、第１の実施の形態と同様であるので説明を省略する。
【００８１】
ＤＡコンバータ２２１ａは、図４に示したように、ＤＡ出力信号Ｓ１ａにおいて、時刻ｂから時刻ｄまでの間において、ＶＤ２（０）とＶＤ３（３）とを交互に繰り返す擬似クロック信号を生成し発信する。
よって、擬似クロック信号の交流成分が、バイパス回路２２６ａのコンデンサＣ６を介して、駆動回路２２３ａに送信される。すなわち、時刻ｂから時刻ｄまでの間においては、ＤＡ出力信号Ｓ１ａにおける擬似クロック信号の交流成分により、コンデンサＣ４の電荷が放電される。これにより、トランス２２４ａの２次巻線Ｔ２ａが励磁されやすくなり、正常な動作状態へと移行する。なお、第１の実施の形態と同様に、時刻ｂから時刻ｄまでのＤＡ出力信号Ｓ１ａにおける擬似クロック信号を増幅して得られた制御信号Ｓ２ａによりコンデンサＣ４に蓄積された電荷が放電される。これに加えて、第２の実施の形態では、バイパス回路２２６ａにより、さらにコンデンサＣ４の電荷が放電されることで、より効率よくトランス２２４ａの２次巻線Ｔ２ａが励磁されやすくなり、正常な動作状態に移行することができる。
クリーニング出力部２２ｂについても同様に考えることができるので、説明を省略する。
【００８２】
なお、バイパス回路２２６ａ、バイパス回路２２６ｂは、転写出力部２２ａおよびクリーニング出力部２２ｂの両方に設けなくともよく、擬似クロック信号を送信する側に設ければよい。
【００８３】
［第３の実施の形態］
（転写部バイアス電源２２のブロック構成）
図１０は、第３の実施の形態における転写部バイアス電源２２のブロック構成の一例を示す図である。なお、信号の流れを矢印で示している。第３の実施の形態では、第２の実施の形態における転写出力部２２ａに平滑回路２２７ａを、クリーニング出力部２２ｂに平滑回路２２７ｂを設けた。
画像形成装置１など他の構成は同じであるので、説明を省略する。
【００８４】
転写出力部２２ａにおいて、平滑回路２２７ａは、ＤＡコンバータ２２１ａのＤＡ出力信号Ｓ１ａを受信し、平滑回路２２７ａの出力が制御回路２２２ａに入力される。すなわち、平滑回路２２７ａにより、制御回路２２２ａはＤＡコンバータ２２１ａの出力の変動成分を低減（平滑）した信号を受信するようになっている。なお、バイパス回路２２６ａは、ＤＡコンバータ２２１ａのＤＡ出力信号Ｓ１ａを受信する。
クリーニング出力部２２ｂについても同様であるので、説明を省略する。
【００８５】
（転写出力部２２ａおよびクリーニング出力部２２ｂの回路構成）
図１１は、第３の実施の形態における転写出力部２２ａおよびクリーニング出力部２２ｂの回路構成の一例を示す図である。第２の実施の形態における図９に、平滑回路２２７ａ、２２７ｂが付加されている。
平滑回路２２７ａは、抵抗Ｒ１３およびコンデンサＣ７を備えている。抵抗Ｒ１３の一方の端子は、ＤＡコンバータ２２１ａに接続され、抵抗Ｒ１３の他方の端子はコンデンサＣ７の一方の端子に接続されるとともに、差動増幅器Ａｍｐ１の＋入力端子に接続されている。そして、コンデンサＣ７の他方の端子は、接地されている。すなわち、平滑回路２２７ａは、ＤＡコンバータ２２１ａの出力を平滑する。
他の構成は、第１の実施の形態と同様であるので説明を省略する。
【００８６】
ＤＡコンバータ２２１ａは、図４に示したように、ＤＡ出力信号Ｓ１ａにおいて、時刻ｂから時刻ｄまでの間において、ＶＤ２（０）とＶＤ３（３）とを交互に繰り返す擬似クロック信号を生成し発信する。
よって、平滑回路２２７ａは、擬似クロック信号を平滑したＤＣ電圧の信号にし、制御回路２２２ａの差動増幅器Ａｍｐ１に送信する。
これにより、差動増幅器Ａｍｐ１からの制御信号Ｓ２ａは、擬似クロック信号を増幅した信号ではなくなる。
一方、第２の実施の形態と同様に、擬似クロック信号の交流成分は、バイパス回路２２６ａのコンデンサＣ６を介して、駆動回路２２３ａに送信される。すなわち、時刻ｃから時刻ｄまでの間のＤＡ出力信号Ｓ１ａにおける擬似クロック信号の交流成分により、コンデンサＣ４の電荷を放電することで、トランス２２４ａの２次巻線Ｔ２ａが励磁されやすくなり、正常な動作状態へと移行することができる。
第３の実施の形態では、制御回路２２２ａにおいて差動増幅器Ａｍｐ１の＋入力端子に入力される信号の変動が抑制されるので、差動増幅器Ａｍｐ１はより安定に動作することができる。
クリーニング出力部２２ｂについても同様であるので、説明を省略する。
【００８７】
なお、平滑回路２２７ａ、平滑回路２２７ｂは、転写出力部２２ａおよびクリーニング出力部２２ｂの両方に設けなくともよく、バイパス回路２２６ａまたはバイパス回路２２６ｂを設けた側に設けることが好ましい。
【００８８】
以上説明したように、第１の実施の形態から第３の実施の形態では、画像形成装置１は１つの感光体ドラム１１を備えるとして説明した。画像形成装置１は、イエロー（Ｙ）、マゼンタ（Ｍ）、シアン（Ｃ）、黒（Ｋ）などのそれぞれの色に対応した複数の感光体ドラムを有するタンデム型であってもよい。この場合、それぞれの感光体ドラムに対応して設けられた転写ロールに転写バイアスＶｔｒｎおよびクリーニングバイアスＶｃｒｎを印加する転写部バイアス電源に、第１の実施の形態から第３の実施の形態において説明した転写部バイアス電源２２を適用すればよい。
【符号の説明】
【００８９】
１…画像形成装置、３…画像読取装置、１０…画像形成プロセス部、１１…感光体ドラム、１２…帯電ロール、１３…レーザ露光器、１３…帯電バイアス電源、１４…現像器、１５…帯電バイアス電源、１６…現像バイアス電源、２０…転写部、２１…転写ロール、２２…転写部バイアス電源、２２ａ…転写出力部、２２ｂ…クリーニング出力部、２２ｃ…信号生成部、２２ｄ…信号解読部、３０…制御部、２２１ａ、２２１ｂ…ＤＡコンバータ、２２２ａ、２２２ｂ…制御回路、２２３ａ、２２３ｂ…駆動回路、２２４ａ、２２４ｂ…トランス、２２５ａ、２２５ｂ…整流回路、２２６ａ、２２６ｂ…バイパス回路、２２７ａ、２２７ｂ…平滑回路、２３０…電流検知回路、Ａｍｐ１…差動増幅器
【図１】
2013254066.tif 000003
【図２】
2013254066.tif 000004
【図３】
2013254066.tif 000005
【図４】
2013254066.tif 000006
【図５】
2013254066.tif 000007
【図６】
2013254066.tif 000008
【図７】
2013254066.tif 000009
【図８】
2013254066.tif 000010
【図９】
2013254066.tif 000011
【図１０】
2013254066.tif 000012
【図１１】
2013254066.tif 000013